(57)【特許請求の範囲】
【請求項１】
屋根に葺かれた際に軒先側からみて前側に位置する頭部と、後側に位置する尻部と、左右一方の側部に位置する差込み部と、他方の側部に位置する桟部と含み、差込み部と桟部との間の左右中間部に前面視で下に凸に湾曲した谷部を備え、頭部に下方に垂れ下がった垂れ部を備えた軒瓦において、
前記垂れ部の差込み部側及び桟部側の両側面に、頭部側から尻部側へ向かうに従い桟部側から差込み部側に傾斜する傾斜面を設け、差込み部側の前記傾斜面を、差込み部側に隣接する軒瓦の桟部側の傾斜面に当接可能、桟部側の前記傾斜面を、桟部側に隣接する軒瓦の差込み部側の傾斜面に当接可能に構成し、
尻部下面の左右中間部に、該尻部を前記屋根の桟木に回動可能に掛止する尻剣を、前記谷部の谷芯の左右各４０ｍｍの範囲内に納まるよう設けたことを特徴とする軒瓦。
【請求項２】
前記尻剣の前記桟木に当接する当接面は、平面視で前に凸に湾曲した請求項１記載の軒瓦。
【請求項３】
前記垂れ部は、差込み部側及び桟部側のいずれにも突出しておらず、軒瓦の桟部側の側端は、少なくとも該軒瓦の前端から前後中央までの範囲で、平面視で一直線状に設けられた請求項１又は２記載の軒瓦。
【請求項４】
屋根に葺かれた際に軒先側からみて前側に位置する頭部と、後側に位置する尻部と、左右一方の側部に位置する差込み部と、他方の側部に位置する桟部と含み、差込み部と桟部との間の左右中間部に前面視で下に凸に湾曲した谷部を備え、頭部に下方に垂れ下がった垂れ部を備えた軒瓦を葺く軒瓦の施工方法において、
前記垂れ部の差込み部側及び桟部側の両側面に、頭部側から尻部側へ向かうに従い桟部側から差込み部側に傾斜する傾斜面を設け、尻部下面の左右中間部に、該尻部を前記屋根の桟木に回動可能に掛止する尻剣を、前記谷部の谷芯の左右各４０ｍｍの範囲内に納まるよう設け、
前記軒瓦を、前記尻剣で前記屋根の桟木に順に複数掛止していくことによって、前記軒瓦を前記桟木に沿って複数並べ、各軒瓦を前記尻剣を軸に回動させることによって、各軒瓦の差込み部側の前記傾斜面を、差込み部側に隣接する軒瓦の桟部側の傾斜面に当接させ、桟部側の前記傾斜面を、桟部側に隣接する軒瓦の差込み部側の傾斜面に当接させることを特徴とする軒瓦の施工方法。
【発明の詳細な説明】
【技術分野】
【０００１】
本発明は、頭部に垂れ部を備えた、軒先に使用する軒瓦に関する。
【背景技術】
【０００２】
軒瓦の成型時の寸法精度は、ミリ単位でばらつくことが一般的であるため、実際に瓦を葺くまでの工程では、まず、軒瓦を丁度の寸法よりも数ミリ左右に大きめに成型しておき、該軒瓦を葺く施工時に、摺り合せ加工を行うことによって左右に幅調整し、該軒瓦を隙間無く葺き合わせることが多い。
【０００３】
しかし、上記方法では、軒瓦を一枚一枚摺り合せる必要があるため手間がかかり、また、施工者の技術によって仕上がりにばらつきが生じる。そのため、軒瓦の中には、次の従来例１〜３に示すように、摺り合せ加工を行うことなく幅調整ができるように工夫された軒瓦もある。
【０００４】
［従来例１］図６（ａ）に示す軒瓦７０は、頭部Ａの差込み部Ｃ側に切欠部７２を設け、その切欠部７２の縁部に、垂れ部７１から連続するふさぎ板７３を設けた軒瓦であって、施工時には、該切欠部７２に、差込み部Ｃ側に隣接する軒瓦７０の垂れ部７１の桟部Ｄ側が入り込む。図６（ｂ）に示すように、該軒瓦７０を左右にスライドさせることによって幅調整でき、このとき、垂れ部７１どうしの間に隙間ｇができても、ふさぎ板７３があるため雨水が浸入することはない。
【０００５】
［従来例２］図７（ａ）に示す軒瓦８０は、垂れ部８１を、差込み部Ｃ側から桟部Ｄ側に向かうに従い前方に、該垂れ部８１の厚さ分以上傾斜させた軒瓦であって、施工時には、垂れ部８１の差込み部Ｃ側の前方に、差込み部Ｃ側に隣接する軒瓦８０の垂れ部８１の桟部Ｄ側が覆い被さる。図７（ｂ）に示すように、該軒瓦８０を左右方向にスライドさせ、垂れ部８１どうしが前後に重なり合う部分の長さを変えることによって幅調整できる。
【０００６】
［従来例３］図８（ａ）に示す軒瓦９０は、垂れ部９１の桟部Ｄ側に突出部９２を備え、該垂れ部９１の突出部９２を含む部分の裏面に、桟部Ｄ側の端に向かうに従い該垂れ部９１が肉薄となるよう摺接面９４を設け、また、該垂れ部９１の差込み部Ｃ側の表面に、差込み部Ｃ側の端に向かうに従い該垂れ部９１が肉薄となるよう摺接面９３を設けた軒瓦であって、施工時には、差込み部Ｃ側の摺接面９３と、差込み部Ｃ側に隣接する軒瓦９０の桟部Ｄ側の摺接面９４とが摺接する。この軒瓦９０の尻部Ｂには、２本の引っ掛け９６，９７が左右に間隔をおいて設けられており、該軒瓦９０は、該引っ掛け９６，９７にて、屋根の桟木６に引っ掛けられる。図８（ｂ）に示すように、該軒瓦９０を摺接面９３，９４に沿ってスライドさせ、摺接面９３と摺接面９４との重なり幅を変えることによって幅調整できる。
【特許文献１】実開昭５９−４４８１２号公報
【特許文献２】実公平２−８９８２号公報
【特許文献３】特開平９−６０２０２号公報
【発明の開示】
【発明が解決しようとする課題】
【０００７】
上記従来例１〜３によれば、摺り合せ加工を行うことなく左右に幅調整することができるが、それぞれ次に示す問題がある。
【０００８】
すなわち、従来例１では、図６（ａ）に示すように、桟部Ｄ側にある軒瓦７０の垂れ部７１の差込み部Ｃ側の側面と差込み部Ｃ側にある軒瓦７０の垂れ部７１の桟部Ｄ側の側面とが当接した状態よりも幅を狭くする方向には軒瓦７０をスライドさせることができず、また、幅を広くする方向にスライドさせた際には、図６（ｂ）に示すように、垂れ部７１どうしの間に隙間ｇができてしまい見栄えが悪い。
【０００９】
また、従来例２では、図７（ｂ）に示すように、各軒瓦８０どうしの境に、垂れ部８１の厚さ分もの段差ｆが生じるため、見栄えが悪い。
【００１０】
また、従来例３では、図８（ｂ）に示すように、幅を広くする方向に軒瓦９０をスライドさせた際には、摺接面９３と摺接面９４との傾斜に沿って、左右の軒瓦９０が前後差ｊだけ前後にずれるため、そのずれ分を補正すべく、軒瓦９０全体を回動方向ｒへ若干回動させる必要があるが、該回動させた際には、左右に間隔をおいて設けられた左右２本の引っ掛け９６，９７のうちの一方（９６）しか桟木６に当接せず、他方（９７）と桟木６との間には、隙間ができてしまう。そのため、該軒瓦９０のバランスが極端に悪くなり、軒瓦９０の桟木６に対する掛止が不安定になってしまう。また、該従来例３では、垂れ部９１の桟部Ｄ側に突出部９２があるため、生産工程、輸送時などに欠けが起こりやすい。
【００１１】
そこで、摺り合せ加工を行うことなく左右に幅調整ができ、見栄えが良く、また、回動させてもバランスが悪くならない軒瓦を提供することを第一の目的とし、生産工程、輸送時などに欠けが起こり難くすることを第二の目的とする。
【課題を解決するための手段】
【００１２】
上記第一の目的を達成するため、本発明の軒瓦は、屋根に葺かれた際に軒先側からみて前側に位置する頭部と、後側に位置する尻部と、左右一方の側部に位置する差込み部と、他方の側部に位置する桟部と含み、差込み部と桟部との間の左右中間部に前面視で下に凸に湾曲した谷部を備え、頭部に下方に垂れ下がった垂れ部を備えた軒瓦において、前記垂れ部の差込み部側及び桟部側の両側面に、頭部側から尻部側へ向かうに従い桟部側から差込み部側に傾斜する傾斜面を設け、差込み部側の前記傾斜面を、差込み部側に隣接する軒瓦の桟部側の傾斜面に当接可能、桟部側の前記傾斜面を、桟部側に隣接する軒瓦の差込み部側の傾斜面に当接可能に構成し、尻部下面の左右中間部に、該尻部を前記屋根の桟木に回動可能に掛止する尻剣を、前記谷部の谷芯の左右各４０ｍｍの範囲内に納まるよう設けたことを特徴とする。但し、前記谷芯は、葺接時の姿勢において、前面視で最も谷が深く、下面の接線が水平になる点をいう。このことは、以下においても同様である。
【００１３】
また、同目的を達成するため、本発明の軒瓦の施工方法は、屋根に葺かれた際に軒先側からみて前側に位置する頭部と、後側に位置する尻部と、左右一方の側部に位置する差込み部と、他方の側部に位置する桟部と含み、差込み部と桟部との間の左右中間部に前面視で下に凸に湾曲した谷部を備え、頭部に下方に垂れ下がった垂れ部を備えた軒瓦を葺く軒瓦の施工方法において、前記垂れ部の差込み部側及び桟部側の両側面に、頭部側から尻部側へ向かうに従い桟部側から差込み部側に傾斜する傾斜面を設け、尻部下面の左右中間部に、該尻部を前記屋根の桟木に回動可能に掛止する尻剣を、前記谷部の谷芯の左右各４０ｍｍの範囲内に納まるよう設け、前記軒瓦を、前記尻剣で前記屋根の桟木に順に複数掛止していくことによって、前記軒瓦を前記桟木に沿って複数並べ、各軒瓦を前記尻剣を軸に回動させることによって、各軒瓦の差込み部側の前記傾斜面を、差込み部側に隣接する軒瓦の桟部側の傾斜面に当接させ、桟部側の前記傾斜面を、桟部側に隣接する軒瓦の差込み部側の傾斜面に当接させることを特徴とする。
【００１４】
上記軒瓦及び軒瓦の施工方法において、前記尻剣は、２本以上あってもよいが、１本であることが好ましい。また、前記尻剣は、特に限定されないが、前記谷芯の左右各３５ｍｍの範囲内に納まることが好ましく、左右各３０ｍｍの範囲内に納まることがより好ましく、左右各２５ｍｍの範囲内に納まることが最も好ましい。該範囲が小さい方が、前記回動させた際に、軒瓦のバランスが悪くなり難いからである。
【００１５】
また、前記尻剣の前記桟木に当接する当接面は、特に限定されないが、平面視で前に凸に湾曲していることが好ましい。該湾曲によって、前記回動がよりスムーズになるからである。
【００１６】
また、両傾斜面の傾斜角は、特に限定されないが、前後方向に対して３０〜６５度であることが好ましく、４０〜５０度であることがより好ましい。該傾斜角は大きい程、より少ない回動でより大きく幅調整することが可能となる一方、大き過ぎても、垂れ部の前面の桟部側の端及び裏面の差込み部側の端が尖ってしまい、その部分で強度が弱くなってしまうからである。
【００１７】
また、両傾斜面の長さは、特に限定されないが、傾斜方向に沿って１０〜５０ｍｍであることが好ましく２０〜３０ｍｍであることがより好ましい。該長さは長い程、幅調整できる範囲が広がる一方、垂れ部の厚さや該傾斜面の傾斜角との関係上、長くするにも限界があるからである。
【００１８】
また、上記第二の目的を達成するため、前記垂れ部は、差込み部側及び桟部側のいずれにも突出しておらず、軒瓦の桟部側の側端は、少なくとも該軒瓦の前端から前後中央までの範囲で、平面視で一直線状に設けられていることが好ましい。
【発明の効果】
【００１９】
本発明によれば、尻剣を軸に軒瓦を回動させてその両傾斜面を左右に隣接する軒瓦の傾斜面にそれぞれ当接させるだけで左右に幅調整できるため、摺り合せ加工を行う必要がなく、また、従来例１のように垂れ部どうしの間に隙間ができたり、従来例２のように軒瓦どうしの境に段差が大きくできることもないため、見栄えが良い。また、尻剣が、谷部の谷芯の左右各４０ｍｍの範囲内に納まるよう設けられているため、該尻剣を軸に軒瓦を回動させても、従来例３のようにバランスが極端に悪くなるといったことはない。
【発明を実施するための最良の形態】
【００２０】
本発明の軒瓦７は、屋根に葺かれた際に軒先側からみて前側に位置する頭部Ａと、後側に位置する尻部Ｂと、左右一方の側部に位置する差込み部Ｃと、他方の側部に位置する桟部Ｄと含み構成されている。そして、差込み部Ｃと桟部Ｄとの間の左右中間部に前面視で下に凸に湾曲した谷部９を備え、頭部Ａに下方に垂れ下がった垂れ部１０を備えている。
【００２１】
その垂れ部１０の差込み部Ｃ側及び桟部Ｄ側の両側面には、頭部Ａ側から尻部Ｂ側へ向かうに従い桟部Ｄ側から差込み部Ｃ側に傾斜する傾斜面１１，１２が設けられ、差込み部Ｃ側の傾斜面１１は、差込み部Ｃ側に隣接する軒瓦７の桟部Ｄ側の傾斜面１２に当接可能、桟部Ｄ側の傾斜面１２は、桟部Ｄ側に隣接する軒瓦７の差込み部Ｃ側の傾斜面１１に当接可能に構成されている。この垂れ部１０は、差込み部Ｃ側及び桟部Ｄ側のいずれにも突出しておらず、軒瓦７の桟部Ｄ側の側端は、少なくとも該軒瓦７の前端から前後中央までの範囲Ｙで、平面視で一直線状に設けられている。
【００２２】
また、尻部Ｂの下面の左右中間部には、該尻部Ｂを屋根の桟木６に回動可能に掛止する尻剣２０が、谷部９の谷芯ｐの左右各４０ｍｍの範囲Ｘ内に納まるよう設けられている。そして、この尻剣２０の桟木６に当接する当接面２１は、平面視で前に凸に湾曲している。
【実施例】
【００２３】
本実施例の図１〜３に示す軒瓦７は、平面視で略正方形の陶板瓦であって、実際に要求される丁度の寸法よりも左右に若干（数ミリ）小さめに形成されている。この軒瓦７は、屋根に葺かれた際に軒先側からみて前側に位置する頭部Ａと、後側に位置する尻部Ｂと、右側の側部に位置する差込み部Ｃと、左側の側部に位置する桟部Ｄとを含み構成され、葺接時には、差込み部Ｃが、差込み部Ｃ側に隣接する軒瓦７の桟部Ｄの下方に差し込まれる構成となっている。
【００２４】
この軒瓦７は、桟部Ｄに前面視で上に凸に湾曲した山部８を備え、差込み部Ｃと桟部Ｄとの間の左右中間部に前面視で下に凸に湾曲した谷部９を備え、頭部Ａに下方に垂れ下がった垂れ部１０を備えた一文字軒瓦であって、実際に軒先に葺き合わされた際には、垂れ部１０の下端が一直線上に並ぶとともに、前面も略同一面上に並ぶ構造となっている。そして、この軒瓦７の上面の谷部９を含む部分には、尻部Ｂに帯状に突出形成された尻部水返し３１と、差込み部Ｃに帯状に突出形成された差込み部水返し３２と、山部８とによって３方から包囲された雨曝し部Ｅが形成されており、雨水を頭部Ａ側に流下させるようになっている。
【００２５】
また、頭部Ａの差込み部Ｃ側の端には、差込み部Ｃ側に葺かれる軒瓦７の垂れ部１０との干渉を避けるための頭部切欠３６が設けられ、尻部Ｂの桟部Ｄ側の端には、桟部Ｄ側に葺かれる軒瓦７の尻部Ｂ側に葺かれる瓦の差込み部との干渉を避けるための尻部切欠３７が設けられている。また、尻部Ｂには、該軒瓦７を屋根の桟木６に掛止するための下方に突出した突起状の尻剣２０と、該掛止した軒瓦７を桟木６に固定するための貫通穴状の釘孔２５とが設けられている。
【００２６】
垂れ部１０は、その前面が軒瓦７の上面に対して７０〜９０度の所定角度φだけ下方に折れ曲がった方向に延びており、左右には、頭部切欠３６から軒瓦７の桟部Ｄ側の端まで延びている。そして、この垂れ部１０の差込み部Ｃ側及び桟部Ｄ側の両側面には、頭部Ａ側から尻部Ｂ側へ向かうに従い桟部Ｄ側から差込み部Ｃ側に傾斜する傾斜面１１，１２が略平行に設けられており、これら傾斜面１１，１２の傾斜角θは、頭部Ａ側から尻部Ｂ側へ向かう前後方向に対して約４５度となっており、長さＭは、傾斜方向に沿って約２５ｍｍとなっている。この垂れ部１０は、差込み部Ｃ側及び桟部Ｄ側のいずれにも突出しておらず、軒瓦７の桟部Ｄ側の側端は、少なくとも該軒瓦７の前端から前後中央までの間の範囲Ｙで、平面視で一直線状に設けられている。
【００２７】
尻剣２０は、軒瓦７の尻部Ｂを屋根の桟木６に回動可能に掛止するための突起であって、尻部Ｂの下面の左右中間部に一本のみ設けられている。この尻剣２０は、少なくとも、谷部９の谷芯ｐの左右各４０ｍｍの範囲（すなわち、左右合わせて計８０ｍｍの範囲）Ｘ内に納まるよう設けられており、より詳しくいえば、ここでは、谷芯ｐの左右各２５ｍｍの範囲（すなわち、左右合わせて計５０ｍｍの範囲）内に納まっている。そして、この尻剣２０の桟木６に当接する当接面２１は、平面視で前に凸に湾曲している。
【００２８】
以上に示した軒瓦７を、屋根に葺く際の様子を次の（１）〜（３）の順に説明する。
（１）まず、図３（ａ）に示すように、軒瓦７を、尻剣２０一点で左右に延びる桟木６に順に複数掛止していくことによって、該軒瓦７を桟木６に沿って左右に複数並べる。このとき、該軒瓦７は、上記の通り、丁度の大きさよりも若干（数ミリ）小さめに形成されているため、左右に隣接する軒瓦７の垂れ部１０どうしの相互間には、数ミリの微小隙間ｉが形成される。
（２）次に、図３（ｂ）に示すように、軒瓦７を尻剣２０（尻剣２０と桟木６との当接点ｔ）を軸に、頭部Ａが桟部Ｄ側にシフトする方向（右回り）に若干回動させることによって、各軒瓦７の差込み部Ｃ側の傾斜面１１を、差込み部Ｃ側に隣接する軒瓦７の桟部Ｄ側の傾斜面１２に当接させ、桟部Ｄ側の傾斜面１２を、桟部Ｄ側に隣接する軒瓦７の差込み部Ｃ側の傾斜面１１に当接させる。その作業についてより詳しく説明すると、ある軒瓦７の桟部Ｄ側の傾斜面１２を、桟部Ｄ側に隣接する軒瓦７の差込み部Ｃ側の傾斜面１１に当接させ、その状態のまま、該当接させた軒瓦７を上記方向に回動させることによって、桟部Ｄ側に隣接する軒瓦７を、該当接させた傾斜面１２の法線方向に押圧するとともに該傾斜面１２に沿って斜め前に滑り落とす形で同方向に回動させることができる。また、その桟部Ｄ側に隣接する軒瓦７に、更にその桟部Ｄ側に隣接する軒瓦７が当接すれば、３つ又はそれ以上の軒瓦７を、最も差込み部Ｃ側の軒瓦７を上記方向に回動させるだけで、互いに滑らせつつ同時に同方向に回動させることができる。そして、該回動した際には、各軒瓦７の左右（幅方向）への有効長さは、図３（ａ）に示すＬｏから、図３（ｃ）に示すＬに数ミリ（傾斜面１１の一部を足した分だけ）延長されることとなる。これらの動作を、各軒瓦７の位置を微調整しながら軒先全体で繰り返すことによって、全ての軒瓦７を略平行に傾けて、各軒瓦７の傾斜面１１，１２を左右に隣接する軒瓦７の傾斜面にそれぞれ当接させる。
（３）次に、そのままの状態で、釘孔２５に釘を打ち付け、軒瓦７を桟木６に回動不能に固定する。
【００２９】
本実施例によれば、尻剣２０を軸に軒瓦７を回動させて、その両傾斜面１１，１２を左右に隣接する軒瓦７の傾斜面１１，１２にそれぞれ当接させるだけで左右に幅調整できるため、摺り合せ加工を行う必要がなく、また、垂れ部１０どうしの間に隙間ができたり、軒瓦７どうしの境に段差が大きくできることもないため、見栄えが良い。
【００３０】
また、本実施例では、尻剣２０が、谷心ｐの左右各４０ｍｍの範囲Ｘ内に納まるよう設けられているため、該尻剣２０を軸に軒瓦７を回動させても、該軒瓦７のバランスが極端に悪くなり該軒瓦７の桟木６に対する掛止が不安定になるといったことはない。また、尻剣２０の桟木６に当接する当接面２１は、平面視で前に凸に湾曲しているため、尻剣２０を軸に軒瓦７を回動させた際には、実際に支点となる尻剣２０と桟木６との当接点ｔは、図３に示すように、該回動に伴って該湾曲した当接面２１上を左右に移動することとなり、それによって、該回動がスムーズになる。
【００３１】
また、本実施例では、垂れ部１０が、差込み部Ｃ側及び桟部Ｄ側のいずれにも突出していないため、生産工程、輸送時などに欠けが起こり難い。
【００３２】
なお、本発明は前記実施例の構成に限定されるものではなく、発明の趣旨から逸脱しない範囲で変更して具体化することもでき、例えば、次の変更例１，２のように変更してもよい。
【００３３】
［変更例１］
軒瓦７を丁度の寸法よりも左右に若干小さめに形成する代わりに、丁度の寸法か、それよりも左右に若干（数ミリ）大きめに形成し、図４（ａ）に示すように、該軒瓦７を、頭部Ａが差込み部Ｃ側にシフトする方向（左回り）に予め大きく傾けた状態で桟木６に複数掛止していくことによって、該軒瓦７を左右に複数並べた後、図４（ｂ）に示すように、該軒瓦７を尻剣２０を軸に、頭部Ａ側が差込み部Ｃ側にシフトする方向（右回り）に回動させることによって、両傾斜面１１，１２を左右に隣接する軒瓦７の傾斜面にそれぞれ当接させてもよい。
【００３４】
［変更例２］
尻剣２０を１本ではなく、図５に示すように、左右に並べて２本設けてもよい。但し、このときも、該２本の尻剣２０が、谷芯ｐの左右各４０ｍｍの範囲（すなわち、左右合わせて計８０ｍｍの範囲）Ｘ内に納まるようにする。
【図面の簡単な説明】
【００３５】
【図１】（ａ）は、実施例の軒瓦を右斜め上前方から見た斜視図、（ｂ）は、同軒瓦を左斜め下後方から見た斜視図である。
【図２】同実施例の軒瓦を示す（ａ）は平面図、（ｂ）は側面図、（ｃ）は正面図である。
【図３】同実施例の軒瓦を葺く際の様子を示す（ａ）（ｃ）は平面図、（ｂ）（ｄ）は正面図である。
【図４】同実施例の変更例１の軒瓦を葺く際の様子を示す（ａ）（ｃ）は平面図、（ｂ）（ｄ）は正面図である。
【図５】同実施例の変更例２の軒瓦を左斜め下後方から見た斜視図である。
【図６】従来例１の軒瓦を示す斜視図である。
【図７】従来例２の軒瓦を示す平面図である。
【図８】従来例３の軒瓦を示す平面図である。
【符号の説明】
【００３６】
６    桟木
７    軒瓦
７ｄ  軒瓦の桟部側の側面
９    谷部
１０    垂れ部
１１    傾斜面（差込み部側）
１２    傾斜面（桟部側）
２０    尻剣
２１    当接面
Ａ    頭部
Ｂ    尻部
Ｃ    差込み部
Ｄ    桟部
ｐ    谷芯
Ｘ    谷芯の左右各４０ｍｍの範囲
Ｙ    軒瓦の前端から前後中央までの範囲
【図１】
0004925957.tif 000002
【図２】
0004925957.tif 000003
【図３】
0004925957.tif 000004
【図４】
0004925957.tif 000005
【図５】
0004925957.tif 000006
【図６】
0004925957.tif 000007
【図７】
0004925957.tif 000008
【図８】
0004925957.tif 000009